(57)【要約】【課題】飲料容器を安定に保持することができ、かつ飲料容器を保持する必要がないときには、全体を平坦な物品載置面をなすトレーとして使用することができる用途の広い自動車用カップホルダーを提供すること。【解決手段】飲料容器を保持する容器状のカップ保持部材１０と、カップ保持部材１０を載置する平坦な台座部２ａとこれと連接する容器状で底部を上記台座部よりも低位置とした物入れ部２ｂを一体に備えたベース部材２とからなり、物入れ部２ｂは、上下に反転させたカップ保持部材１０を収納可能な形状および寸法に形成し、台座部２ａと物入れ部２ｂとの連接部２０に、これに沿うカップ保持部材１０の端縁部を回動可能に軸支せしめ、カップ保持部材１０を物入れ部２ｂ側に反転回動させて収納して、台座部２ａとカップ保持部材１０の底部１２とでほぼ平坦な物品載置面を形成する。【選択図】        図１
2004284433.tif 000002
【特許請求の範囲】
【請求項１】
飲料容器を保持する容器状のカップ保持部材と、該カップ保持部材を載置する平坦な台座部とこれと連接する容器状で底部を上記台座部よりも低位置とした物入れ部を一体に備えたベース部材とからなり、
上記物入れ部は、上下に反転させた上記カップ保持部材を収納可能な形状および寸法に形成し、上記台座部と物入れ部との連接部に、これに沿う上記カップ保持部材の端縁部を回動可能に軸支せしめ、上記カップ保持部材を上記物入れ部側に反転回動させて上記物入れ部に収納し、上記台座部と上記カップ保持部材の底部とでほぼ平坦な物品載置面を形成する構造としたことを特徴とする自動車用カップホルダー。
【請求項２】
上記自動車用カップホルダーは、これを取付ける緩やかな前上がり傾斜状の車室フロアの傾斜面に対応して、上記ベース部材を、その前半部に上記台座部を設け、後半部に上記収納部を設けた断面ほぼＺ字形に形成し、ベース部材の前縁、および上記物入れ部の底部よりも下方へ突出させた後壁下縁を上記車室フロアの傾斜面に設置固定して、上記台座部と上記物入れ部に収納された上記カップ保持部材の底部とでほぼ水平で平坦な上記物品載置面を形成する構造とした請求項１に記載の自動車用カップホルダー。
【請求項３】
上記カップ保持部材の底部下面に、上記物入れ部の開口を塞ぐ形状および寸法の底板を設け、上記連接部に、これに沿う上記底板の端縁部を回動可能に軸支せしめ、上記台座部と上記物入れ部に収納した上記カップ保持部材の上記底板とでほぼ平坦な上記物品載置面を形成する構造とした請求項１または請求項２に記載の自動車用カップホルダー。
【発明の詳細な説明】
【０００１】
【発明の属する技術分野】
本発明は、飲料容器等を収納保持する自動車用カップホルダーに関する。
【０００２】
【従来の技術】
従来、自動車用のカップホルダーには、運転席シートと助手席シートとの間に位置するセンターコンソールに組込まれたコンソール組込みタイプのものや、運転席シートと助手席シートとの間等の車室フロアに設置するコンパクトなトレータイプのものがある。
【０００３】
図４は従来の代表的なコンソール組込みタイプのカップホルダーを示し、カップホルダー６はインストルメントパネル９の中央から運転席シートＳ１と助手席シートＳ２との間に延設されたセンターコンソール８のコンソールボックス８０を開閉するコンソールドア８１に設けられている。カップホルダー６は、コンソールドア８１の上面後部に、飲料容器を保持可能な凹状の第１のカップ保持部材６ａを設けるとともに、第１のカップ保持部材６ａには、これを開閉する補助ドア７を前後かつ上下方向に表裏反転回動可能に取付け、かつ、補助ドア７の内側にも反転開放時に補助ドア７内の周壁７０で囲まれた容器状の第２のカップ保持部材６ｂを形成している。カップホルダー６は、不使用時には補助ドア７を閉じてコンソールドア８１を見栄えをよくする一方、使用時には補助ドア７を開いて第１および第２のカップ保持部材６ａ，６ｂ内に飲料容器を収納保持せしめる（例えば、特許文献１参照。）。
【０００４】
図５は従来の代表的なトレータイプのカップホルダーを示す。カップホルダー５は、高さの低い容器状の合成樹脂からなる一体成形体で、複数の仕切壁５１ａ，５１ｂで仕切られた凹状のたばこ等の小物を入れる小物入れ５２と、複数の凹状のカップ保持部材５３ａ，５３ｂが形成されている。
【０００５】
【特許文献１】
特開平０７−１６４９４６号公報
【０００６】
【発明が解決しようとする課題】
ところで、ミニバン等、運転席シートと助手席シートとの間の車室フロアを通路として前席と後席とを乗員が移動可能なウォークスルータイプの自動車では、上記センターコンソールが設けられないためセンターコンソール組込みタイプのカップホルダーを用いることができない。そこで、ウォークスルータイプの自動車には、前席と後席と移動する乗員の邪魔にならない小型の上記トレータイプのカップホルダー５が用いられている。しかしながら、従来のトレータイプのカップホルダー５では、仕切壁５１ａ，５１ｂは固定であるから飲料容器以外にはたばこ等の小物しか収納することができず不便である。ユーザーのニーズとしては、常に使うとは限らないカップ保持部材よりも、車内に常備するティッシュボックス等の物を置くことが可能なものが望まれている。
【０００７】
ウォークスルータイプの自動車では、乗員の移動を妨げないように通路上に上記カップホルダー５とこれとは別にティッシュボックス等を置くことが可能なトレーとを両方設置することが困難で、いずれか一方しか設置できない。上記トレーでは飲料容器を置いたときにこれを安定に保持することができず走行時の振動等で飲料容器が倒れるおそれがある。そこで本発明は、飲料容器を安定に保持することができ、かつ飲料容器を保持する必要がないときにはティッシュボックスのような比較的大きい物品を置くことが可能なトレーとして使用することができる用途の広い自動車用カップホルダーを提供することを課題としてなされたものである。
【０００８】
【課題を解決するための手段】
本発明は、飲料容器を保持する容器状のカップ保持部材と、該カップ保持部材を載置する平坦な台座部とこれと連接する容器状で底部を上記台座部よりも低位置とした物入れ部を一体に備えたベース部材とからなり、上記物入れ部は、上下に反転させた上記カップ保持部材を収納可能な形状および寸法に形成する。上記台座部と物入れ部との連接部に、これに沿う上記カップ保持部材の端縁部を回動可能に軸支せしめ、上記カップ保持部材を上記物入れ部側に反転回動させて上記物入れ部に収納し、上記台座部と上記カップ保持部材の底部とでほぼ平坦な物品載置面をなす構造とする（請求項１）。ベース部材の台座部上に載置したカップ保持部材により飲料容器を安定に保持することができ、かつカップ保持部材を反転回動させてベース部材の物入れ部に収納して台座部とカップ保持部材の底部とで平坦面を形成するようになし、これを物を置くことが可能な物品載置面として使用できるようにしたので用途が広く使い勝手がよい。
【０００９】
上記自動車用カップホルダーは、これを取付ける緩やかな前上がり傾斜状の車室フロアの傾斜面に対応して、上記ベース部材を、その前半部に上記台座部を設け、後半部に上記収納部を設けた断面ほぼＺ字形に形成し、ベース部材の前縁、および上記物入れ部の底部よりも下方へ突出させた後壁下縁を上記車室フロアの傾斜面に設置固定して、上記台座部と上記物入れ部に収納された上記カップ保持部材の底部とでほぼ水平で平坦な上記物品載置面をなす構造とする（請求項２）。ベース部材の台座部と物入れ部との高低差を利用することにより車室フロアの傾斜面に設置するのに都合がよく、傾斜面に設置しても、物品載置面を水平にすることができ、物品載置面に安定に物を置くことができる。
【００１０】
上記カップ保持部材の底部下面に、上記物入れ部の開口を塞ぐ形状および寸法の底板を設け、上記連接部に、これに沿う上記底板の端縁部を回動可能に軸支せしめ、上記台座部と上記物入れ部に収納した上記カップ保持部材の上記底板とでほぼ平坦な上記物品載置面をなす構造とする（請求項３）。カップ保持部材を物入れ部に収納したとき、カップ保持部材の底板により物入れ部の開口を隙間なく塞ぐことができ、台座部とカップ保持部材の底板とで隙間のない面一な物品載置面を形成でき、かつ見栄えもよい。
【００１１】
【発明の実施の形態】
本発明の実施形態を説明する。図１ないし図３に示すように、カップホルダー１は、飲料容器Ｄを保持するカップ保持部材１０と、これを支持するベース部材２とで構成してある。
【００１２】
カップ保持部材１０は合成樹脂からなる成形品で、外周を周壁１１で囲まれた横方向に長い長方形容器体からなる。周壁１１は、外側面を形成する外壁と、容器内周を形成する内壁とからなる二重構造で、外壁と内壁とは上部がつながっている。カップ保持部材１０の容器内には横幅方向の中間位置に、前部内壁と後部内壁からそれぞれ容器内へ張り出す前後の仕切部１１ａ，１１ｂが形成してあり、カップ保持部材１０は左右両側に二つの飲料容器Ｄを保持可能である。また、カップ保持部材１０の容器内には、後部内壁の仕切部１１ｂの左右両側位置にそれぞれ、飲料容器Ｄを支える支持板３が付設してある。
【００１３】
図２に示すように、各支持板３は、その基端縁が支軸３０により後部内壁の上縁に上下方向回動自在に軸支され、後部内壁の上縁から容器内へ向かってほぼ水平に突出する水平位置と後部内壁の壁面に沿う垂直位置との間で回動可能としてある。支持板３は図略の付勢部材により上方へ回動付勢され、通常上記水平位置に保持されている。
【００１４】
支持板３は、上記水平位置で、支持板３の先端縁と周壁１１の前部内壁との間の前後寸法が小径の飲料容器Ｄ１の径寸法とほぼ同じになるようにしてあり、カップ保持部材１０内に小径の飲料容器Ｄ１を保持せしめたとき、支持板３の先端縁が飲料容器Ｄ１の側面に当接して飲料容器Ｄ１を安定に支持する。一方、カップ保持部材１０内に大径の飲料容器Ｄ２を保持せしめた場合には、支持板３は、飲料容器Ｄ２に押されて下方へ回動し、この傾斜姿勢で先端縁が飲料容器Ｄ２の側面に当接して飲料容器Ｄ２を支持する。このように、カップ保持部材１０内には径の異なる複数種類の飲料容器Ｄ１，Ｄ２を安定に保持することができる。
【００１５】
図１ないし図３に示すように、カップ保持部材１０の底部には平板状の底板１２が一体に成形してある。底板１２の外形形状および外形寸法は後述のベース部材２の物入れ部２ｂの開口形状および開口寸法に合わせてある。底板１２の前縁には周壁１１の前部外壁の下縁から若干前方へ突出しかつ底板１２の板面よりも下方へ膨出する端縁部１３が設けてある。底板１２の後縁は周壁１１の後部外壁の下縁よりも後方へ突出しており、底板１２後縁の左右両側端には左右一対の軸受け１４が設けてある。
【００１６】
ベース部材２は合成樹脂からなる前後方向に長い矩形状の一体成形品で、前半部には平坦な台座部２ａが形成してあり、後半部には台座部２ａよりも下方へ凹状に張出した容器状で小物類を出し入れ可能な物入れ部２ｂが形成してある。台座部２ａはカップ保持部材１０の底板１２とほぼ同じ外形形状および外形寸法に合わせてある。一方、物入れ部２ｂは上下に反転させたカップ保持部材１０を収納可能な形状および寸法としてある。台座部２ａと物入れ部２ｂとの境界には、幅方向全幅にわったて、台座部２ａよりも一段低くした棚状部２０が形成してある。
【００１７】
ベース部材２には、台座部２ａの前縁と、台座部２ａの左右の側縁、および物入れ部２ｂの開口部の左右の側縁に沿ってこれらを一連に囲む外枠部２１が設けてある。外枠部２１には、その左右の側枠の前後中間部で上記棚状部２０の左右両端に対応する位置に、左右の側枠の内壁からそれぞれ棚状部２０の幅方向中央側へ向かって突出し、カップ保持部材１０を支持する支軸２２が突設してある。ベース部材２の後端には、物入れ部２ｂの後壁上縁から後方かつ下方へ折り返すとともに、物入れ部２ｂの底部よりも低い位置へ延出する縦壁状の後壁部２３が形成してある。後壁部２３はその左右の側縁に沿って設けた側縁フランジが外枠部２１の左右の後端末とつながっている。また、後壁部２３の下縁には後方へ屈折する下縁フランジ２４が形成してある。
【００１８】
カップ保持部材１０は、容器を上向けた状態で、底板１２前縁の端縁部１３をベース部材２の外枠部２１の前縁に重ね合わせて底板１２で台座部２ａの上部を覆うように台座部２ａの直上位置に配し、底板１２後縁の左右両端の軸受け１４をベース部材２の棚状部２０両側端の支軸２２に軸支せしめて回動自在に取付けてある。尚、カップ保持部材１０は台座部２ａの直上位置において、端縁部１３が外枠部２１の前縁に設けられ、クッションゴム２６を備えた受台２５に支持され、底板１２が台座部２ａの板面から若干浮き上がった状態で保持される。
【００１９】
そして、カップ保持部材１０は、台座部２ａ直上位置から後方へ上下反転回動（図２の矢印Ｙ方向）させて物入れ部２ｂ内へ収納可能としてある。カップ保持部材１０は、収納時、底板１２の端縁部１３が、外枠部２１よりも低い位置の物入れ部２ｂの後壁上縁に重合当接して収納状態に保持される。このとき、底板１２は、物入れ部２ｂの開口を隙間なく塞ぐとともに、台座部２ａの板面とほぼ面一となって、台座部２ａとで物を置くことができる物品載置面を形成する。また、底板１２の端縁部１３はベース部材２の外枠部２１の左右の後端間に位置し、上記物品載置面の後端枠を構成する。
【００２０】
このように構成したカップホルダー１は、車室の運転席シートおよび助手席シートの斜め前方位置で緩やかな前上がり傾斜をなす車室フロアＦの傾斜面に、前席と後席との間を移動する乗員の邪魔にならないように取付ける。カップホルダー１は、ベース部材２の外枠部２１の前縁、および後壁部２３の下縁フランジ２４を上記車室フロアの傾斜面に重合して、図略のボルト等により締結固定する。
【００２１】
カップホルダー１は、カップ保持部材１０をベース部材２の台座部２ａ上に載置して、カップ保持部材１０により飲料容器Ｄを安定に保持することができる。飲料容器を保持する必要がないときには（不使用時）、カップ保持部材１０を台座部２ａの直上位置から後方へ上下反転回動せしめて物入れ部２ｂ内へ収納し、カップ保持部材１０の底板１２により物入れ部２ｂの開口部を隙間なく塞ぐ。これにより、台座部２ａとカップ保持部材１０の底板１２とで面一に形成された物品載置面に、例えばティッシュボックスＴ等の比較的大きな物を置くことができる。
【００２２】
カップホルダー１は、ベース部材２の台座部２ａと物入れ部２ｂの高低差を利用して車室フロアＦの傾斜面に好適に設置することができ、傾斜面に設置しても物品載置面を水平にすることができ、物品載置面に安定に物を置くことができる。また、物品載置面はその外周がベース部材２の外枠部２１およびカップ保持部材１０の底板１２の端縁部１３とで囲まれているので、物品載置面に置いたティッシュボックスＴ等が車両走行時の振動等で滑り落ちることはない。
【００２３】
本発明のカップホルダーは、必ずしもカップ保持部材の底板を設ける必要がなく、カップ保持部材の容器の底部をそのまま物品載置面に利用してもよいが、底板を設けることにより、隙間や段差ない物品載置面を形成することができ、物を安定に置くことができるうえ、見栄えをよくできる。また、本発明のカップホルダーは、これを車室フロアの水平面に設置する場合には、ベース部材の前端および後端に同一高さの縦壁を設け、これ等の下縁を車室フロアの水平面に固定すればよく、物品載置面を水平に形成することができる。
【００２４】
【発明の効果】
本発明のカップホルダーは、ベース部材の台座部上に載置したカップホルダー保持部材により飲料容器を安定に保持することができ、かつ飲料容器を保持する必要がないときには、カップ保持部材を上下反転回動させてベース部材の物入れ部内へ収納し、上記台座部と反転させたカップ保持部材の底部とでほぼ面一な物品載置面を形成するようにしたので、これにティッシュボックス等の比較的大きい物品を置くことができ、用途が広く使い勝手がよい。
【図面の簡単な説明】
【図１】本発明のカップホルダーを示し、図１（Ａ）はカップ保持部材を台座部上に載置した状態の斜視図、図１（Ｂ）はカップ保持部材を上下反転回動して物入れ部内に収納し台座部と上下反転したカップ保持部材の底部とで物品載置面を形成した状態の斜視図である。
【図２】図１（Ａ）のＩＩ−ＩＩ線に沿う断面図である。
【図３】図１（Ｂ）のＩＩＩ  −ＩＩＩ  線に沿う断面図である。
【図４】従来のコンソール組込みタイプのカップホルダーを示し、図４（Ａ）は概略説明図、図４（Ｂ）は要部斜視図ある。
【図５】従来のトレータイプのカップホルダーを示し、図５（Ａ）は斜視図、図５（Ｂ）は図５（Ａ）のＶＢ−ＶＢ線に沿う断面図である。
【符号の説明】
１  カップホルダー
１０  カップ保持部材
１２  底部（底板）
２  ベース部材
２ａ  台座部
２ｂ  物入れ部
２０  連接部（棚状部）
２３  後壁
Ｆ    車室フロア
Ｄ  飲料容器
Ｄ１  大径のもの
Ｄ２  小径のもの
【図１】
2004284433.tif 000003
【図２】
2004284433.tif 000004
【図３】
2004284433.tif 000005
【図４】
2004284433.tif 000006
【図５】
2004284433.tif 000007